(57)【特許請求の範囲】
【請求項１】
画像形成部によって形成された画像を虚像として視認させる虚像生成装置であって、 
前記画像に対応する画像光の進行方向に沿って配置され、前記虚像を視認する観察者側に設けられた第１光学素子と、
前記第１光学素子と対向して配置され、前記画像生成部側に配置された第２光学素子と、
を備え、 
前記第１光学素子及び前記第２光学素子は、前記画像光に対応する波長を有する光を、当該光の入射角度に応じて反射または透過させる特性を有し、 
前記第２光学素子は、入射した前記画像光を前記第１光学素子に向けて透過するとともに、前記第１光学素子により反射されて入射した前記画像光を前記第１光学素子に向けて反射し、
前記１光学素子は、前記第２光学素子を透過して入射された前記画像光を前記第２光学素子に向けて反射するとともに、前記第２光学素子により反射されて入射した前記画像光を前記観察者に向けて透過することを特徴とする虚像生成装置。 
【請求項２】
前記第２光学素子は、前記画像形成部からの前記画像光が当該第２光学素子に入射する際の角度である第１角度を入射角度とする前記画像光を透過させる特性を有し、 
前記第１光学素子は、前記第２光学素子を透過した前記画像光が当該第１光学素子に入射する際の角度である第２角度を入射角度とする前記画像光を反射させる特性を有し、
前記第２光学素子は、前記第１光学素子で反射した前記画像光が当該第２光学素子に入射する際の角度である第３角度を入射角度とする前記画像光を反射させる特性を更に有し、 
前記第１光学素子は、前記第２光学素子で反射した前記画像光が当該第１光学素子に入射する際の角度である第４角度を入射角度とする前記画像光を透過させる特性を更に有していることを特徴とする請求項１に記載の虚像生成装置。 
【請求項３】
前記第１光学素子は、前記第２角度で入射された前記画像光を、当該第２角度よりも大きな前記第３角度で反射させる特性を有しており、
前記第２光学素子は、前記第３角度で入射された前記画像光を、当該第３角度よりも小さな前記第４角度で反射させる特性を有していることを特徴とする請求項２に記載の虚像生成装置。 
【請求項４】
前記第１光学素子及び前記第２光学素子は、一の透明基板の対向面上に配置されることを特徴とする請求項１または２に記載の虚像生成装置。 
【請求項５】
前記第１光学素子及び前記第２光学素子は、当該第１光学素子と当該第２光学素子との成す角度を可変に構成されていることを特徴とする請求項１または２に記載の虚像生成装置。 
【請求項６】
前記第１光学素子及び前記第２光学素子は、当該第１光学素子と当該第２光学素子との成す角度が変化する範囲に基づいて、前記入射角度に応じて光を反射させる特性が設定されていることを特徴とする請求項５に記載の虚像生成装置。 
【請求項７】
前記第１光学素子及び前記第２光学素子の少なくとも一方は、誘電体多層膜であることを特徴とする請求項５または６のいずれかに記載の虚像生成装置。 
【請求項８】
前記第１光学素子及び前記第２光学素子は、前記画像光に対してレンズ作用を更に付与することを特徴とする請求項１乃至７のいずれか一項に記載の虚像生成装置。 
【請求項９】
前記第１光学素子及び前記第２光学素子の少なくとも一方は、体積型ＨＯＥであることを特徴とする請求項１乃至８のいずれか一項に記載の虚像生成装置。 
【請求項１０】
画像形成部と、 
前記画像形成部によって形成された画像を虚像として視認させる、請求項１乃至９のいずれか一項に記載の虚像生成装置と、を備えることを特徴とするヘッドアップディスプレイ。 
【請求項１１】
前記画像形成部は、車両のダッシュボード付近に設けられ、 
前記虚像生成装置は、前記車両の天井付近に設けられることを特徴とする請求項１０に記載のヘッドアップディスプレイ。 
【請求項１２】
前記画像形成部は、車両のダッシュボード付近に設けられ、 
前記虚像生成装置は、眼鏡型に構成されていることを特徴とする請求項１０に記載のヘッドアップディスプレイ。 
【発明の詳細な説明】
【技術分野】
【０００１】
本発明は、虚像として画像を視認させる技術分野に関する。
【背景技術】
【０００２】
従来から、虚像として画像を視認させるヘッドアップディスプレイ（以下では適宜「ＨＵＤ」と表記する。）などの表示装置が知られている（例えば特許文献１及び２参照）。通常、ＨＵＤでは、実像表示装置で形成された実像（液晶ディスプレイの画面やプロジェクタで投影されたスクリーン上の画像）を、運転者の視界前方に置かれたコンバイナと呼ばれるハーフミラーによって虚像として運転者に視認させる。これにより、運転者は、前方を見たまま視線を下げることなく、計器類やナビゲーション情報等を景色に重畳した状態で視認することができる。
【先行技術文献】
【特許文献】
【０００３】
【特許文献１】特開平６−２７０７１６号公報
【特許文献２】特開２００２−０５２９５３号公報
【発明の概要】
【発明が解決しようとする課題】
【０００４】
ここで、運転者が視認する虚像の最大視野角は、コンバイナのサイズを固定すると、コンバイナと運転者との距離に応じて決まる。つまり、コンバイナが運転者に近ければ視野角は大きくなり、コンバイナが運転者に遠ければ視野角は小さくなる。したがって、できるだけ大きな虚像を視認させるためには、コンバイナをできるだけ運転者に近付けることが望ましいが、設置場所の関係からコンバイナはダッシュボード上に設けられることが多い（例えば特許文献１参照）。【０００５】
これに対して、近年、視野角を大きくするために、天井付近（サンバイザの近傍）にコンバイナを設置するＨＵＤが提案されている（例えば特許文献２参照）。このＨＵＤでは、実像表示装置をコンバイナよりも運転者側に設置しなければならないため（実像の反射光を眼に入射させるためである）、基本的には、実像表示装置も天井に取り付ける必要がある。そのため、運転者に圧迫感を与えてしまうといった課題や、天井まで電源を引き回さなければならず、取り付けが面倒であるといった課題があった。【０００６】
本発明が解決しようとする課題は上記のようなものが一例として挙げられる。本発明は、利用者に圧迫感や違和感を生じさせることなく所望の虚像を適切に視認させることが可能な虚像生成装置などを提供することを課題とする。
【課題を解決するための手段】
【０００７】
請求項に記載の発明は、画像形成部によって形成された画像を虚像として視認させる虚像生成装置であって、前記画像に対応する画像光の進行方向に沿って配置され、前記虚像を視認する観察者側に設けられた第１光学素子と、前記第１光学素子と対向して配置され、前記画像生成部側に配置された第２光学素子と、を備え、前記第１光学素子及び前記第２光学素子は、前記画像光に対応する波長を有する光を、当該光の入射角度に応じて反射または透過させる特性を有し、前記第２光学素子は、入射した前記画像光を前記第１光学素子に向けて透過するとともに、前記第１光学素子により反射されて入射した前記画像光を前記第１光学素子に向けて反射し、前記１光学素子は、前記第２光学素子を透過して入射された前記画像光を前記第２光学素子に向けて反射するとともに、前記第２光学素子により反射されて入射した前記画像光を前記観察者に向けて透過することを特徴とする。
【０００８】
また、請求項に記載の発明では、ヘッドアップディスプレイは、画像形成部と、前記画像形成部によって形成された画像を虚像として視認させる、上記の虚像変換装置と、を備えることを特徴とする。
【図面の簡単な説明】
【０００９】
【図１】本実施例に係るＨＵＤの基本構成を示す。
【図２】第１実施例に係るコンバイナの構成を示す。
【図３】第１実施例に係る体積型ＨＯＥが有する特性を示す。
【図４】第１実施例に係る体積型ＨＯＥの製造方法を説明するための図を示す。
【図５】第１実施例の変形例１に係るコンバイナの構成を示す。
【図６】第２実施例に係るコンバイナの構成を示す。
【図７】第２実施例に係る誘電体多層膜が有する特性を示す。
【図８】第２実施例の変形例１に係るコンバイナの構成を示す。
【図９】第２実施例の変形例３に係るコンバイナの構成を示す。
【図１０】第３実施例に係るコンバイナの構成を示す。
【図１１】図１０中の破線領域を拡大して表した、第３実施例に係るコンバイナの図を示す。
【図１２】第３実施例に係る誘電体多層膜が有する特性を示す。
【図１３】第３実施例の変形例１に係るコンバイナの構成を示す。
【図１４】第３実施例の変形例２に係るコンバイナの構成を示す。
【図１５】眼鏡型のコンバイナの例を示す。
【図１６】一般的なＨＵＤの課題を説明するための図を示す。
【発明を実施するための形態】
【００１０】
本発明の１つの観点では、画像形成部によって形成された画像を虚像として視認させる虚像生成装置は、前記画像に対応する画像光の進行方向に沿って対向配置された第１及び第２光学素子を備え、前記第１及び第２光学素子は、前記画像光に対応する波長を有する光を、当該光の入射角度に応じて反射させ、前記画像光に対応する波長以外の波長を有する光を透過させる特性を有することで、前記画像光に対してのみ所定の光学的作用を付与する。
【００１１】
上記の虚像生成装置は、入射角度依存を有する波長フィルタ（波長選択透過膜又は波長選択性反射膜）としての第１及び第２光学素子を備え、画像光に対してのみ所定の光学的作用を付与する。これにより、画像形成部が形成した画像についての所望の虚像を適切に生成することができる。
【００１２】
上記の虚像生成装置の一態様では、前記第１及び第２光学素子は、平行に配置されており、入射された光の角度とは異なる角度で当該光を反射させる作用を、前記所定の光学的作用として前記画像光に対して付与する。
【００１３】
この態様では、第１及び第２光学素子は、入射角と異なる反射角で光を反射させる回折反射作用を画像光に対して付与する。この態様によれば、回折反射を利用することで、自由に設定された入射角及び反射角を用いることができる。
【００１４】
上記の虚像生成装置の他の一態様では、前記第１光学素子は、前記画像光が当該虚像生成装置に入射する際の角度である第１角度を入射角度とする前記画像光を反射させる特性を少なくとも有しており、前記第２光学素子は、前記第１光学素子で反射された前記画像光が入射する際の角度である第２角度を入射角度とする前記画像光を反射させる特性を少なくとも有している。これにより、画像光のみを、虚像生成装置を透過させることで光の方向を変化させて、所望の方向に導くことができる。
【００１５】
上記の虚像生成装置の他の一態様では、前記第２光学素子は、前記第１角度を入射角度とする前記画像光を透過させる特性を有しており、前記第１光学素子は、前記第２光学素子で反射された前記画像光が入射される際の角度である第３角度を入射角度とする前記画像光を透過させる特性を有している。
【００１６】
上記の虚像生成装置において好適には、前記第１光学素子は、前記第１角度で入射された前記画像光を、当該第１角度よりも大きな前記第２角度で反射させる特性を有しており、前記第２光学素子は、前記第２角度で入射された前記画像光を、当該第２角度よりも小さな前記第３角度で反射させる特性を有している。
【００１７】
上記の虚像生成装置の他の一態様では、前記第１及び第２光学素子は、前記所定の光学的作用として、前記画像光に対してレンズ作用を更に付与する。これにより、倍率を有した虚像生成装置を実現することができ、虚像距離を遠くにしたり近くにしたりすることが可能となる。
【００１８】
好適な実施例では、前記第１及び第２光学素子は、体積型ＨＯＥである。他の好適な実施例では、第１及び第２の光学素子は誘電体多層膜である。他の好適な実施例では、第１及び第２の光学素子の少なくとも一方は体積型ＨＯＥである。他の好適な実施例では、第１及び第２の光学素子の少なくとも一方は誘電体多層膜である。
【００１９】
本発明の他の観点では、ヘッドアップディスプレイは、画像形成部と、前記画像形成部によって形成された画像を虚像として視認させる、上記の虚像生成装置と、を備える。例えば、画像形成部は、車両のダッシュボード付近に設け、虚像生成装置は、車両の天井付近に設けたり、眼鏡型（サングラス型）にすると良い。
【実施例】
【００２０】
以下、図面を参照して本発明の好適な実施例について説明する。【００２１】
１．基本概念
ここでは、本実施例における基本概念について説明する。【００２２】
まず、図１６を参照して、一般的なＨＵＤの課題について説明する。図１６（ａ）は、コンバイナ１００ｘ及び実像表示装置２００ｘが車両のダッシュボード上に設けられたＨＵＤ３００ｘを示しており、図１６（ｂ）は、コンバイナ１００ｙ及び実像表示装置２００ｙが車両の天井付近（サンバイザの近傍）に設けられたＨＵＤ３００ｙを示している。ＨＵＤ３００ｘ、３００ｙでは、実像表示装置２００ｘ、２００ｙで形成された実像（液晶ディスプレイの画面やプロジェクタで投影されたスクリーン上の画像）を、コンバイナ１００ｘ、１００ｙによって虚像として運転者に視認させる。これにより、運転者は、前方を見たまま視線を下げることなく、計器類やナビゲーション情報等を景色に重畳した状態で視認することができる。【００２３】
ここで、運転者が視認する虚像の最大視野角は、コンバイナのサイズを固定すると、コンバイナと運転者との距離に応じて決まる。つまり、コンバイナが運転者に近ければ視野角は大きくなり、コンバイナが運転者に遠ければ視野角は小さくなる。したがって、できるだけ大きな虚像を視認させるためには、コンバイナをできるだけ運転者に近付けることが望ましいが、設置場所の関係から、図１６（ａ）に示すようにダッシュボード上にコンバイナ１００ｘが設けられることが多い。【００２４】
これに対して、近年、視野角を大きくするために、図１６（ｂ）に示すように、天井付近（サンバイザの近傍）にコンバイナ１００ｙを設置するＨＵＤ３００ｙが提案されている。このＨＵＤ３００ｙでは、実像表示装置２００ｙをコンバイナ１００ｙよりも運転者側に設置しなければならないため（実像の反射光を眼に入射させるためである）、基本的には、実像表示装置２００ｙも天井に取り付ける必要がある。そのため、運転者に圧迫感を与えてしまうといった課題や、天井まで電源を引き回さなければならず、取り付けが面倒であるといった課題があった。【００２５】
本実施例では、上記のようなＨＵＤ３００ｘ、３００ｙの課題を解決可能な構成を採用する。図１は、本実施例に係るＨＵＤ３００の基本構成を示している。図１に示すように、本実施例では、実像表示装置２００をダッシュボード上に設置し、コンバイナ１００のみを天井付近（サンバイザの近傍）に設置するといった構成を採用する。また、本実施例では、このような構成を適切に実現すべく、実像に対応する光を反射させる反射型のコンバイナ１００ｘ、１００ｙを用いる代わりに（図１６（ａ）及び（ｂ）参照）、実像に対応する光を透過させる透過型のコンバイナ１００を用いる。具体的には、本実施例に係るコンバイナ１００は、実像表示装置２００からの光（以下では適宜「実像表示光」と呼ぶ。）に対してのみ光学的作用を付与することで、実像表示光を屈折させることにより運転者の頭部に導き、実像表示光以外の光（車両の前方風景に対応する光などであり、以下では適宜「背景光」と呼ぶ。）に対しては光学的作用を付与しないことで、背景光をそのまま透過させる。【００２６】
本実施例に係るＨＵＤ３００によれば、運転者が視認する虚像の視野角を確保しつつ、図１６（ｂ）に示したＨＵＤ３００ｙと比較して、運転者に与える圧迫感を抑制することができると共に、天井まで電源を引き回す必要がないため、容易に取り付けることができる。【００２７】
なお、図１に示したように実像表示装置２００をダッシュボード上に設けることに限定はされず、実像表示装置２００をインスツルメントパネルやセンターコンソールに設けても良い。つまり、実像表示装置２００をオンダッシュ型に構成することに限定はされず、実像表示装置２００をインダッシュ型に構成しても良い。【００２８】
なお、コンバイナ１００（後述するコンバイナ１００ａ〜１００ｃも含む）は、本発明における「虚像生成装置」の一例に相当し、実像表示装置２００は、本発明における「画像形成部」の一例に相当する。【００２９】
以下では、上記したような本実施例に係るコンバイナ１００の具体例について提示する。具体的には、第１乃至第３実施例に係るコンバイナ１００ａ〜１００ｃを提示する。なお、第１乃至第３実施例に係るコンバイナ１００ａ〜１００ｃは、図１に示したＨＵＤ３００に適用されるものとする。【００３０】
２．第１実施例
まず、第１実施例について説明する。【００３１】
２−１．第１実施例に係るコンバイナの構成
図２は、第１実施例に係るコンバイナ１００ａの構成を示す図である。図２では、実像表示装置２００からの光（実像表示光）の進行方向に沿って切断した、コンバイナ１００ａの一部分についての断面図を示している（後述するコンバイナの図についても同様とする）。【００３２】
図２に示すように、第１実施例に係るコンバイナ１００ａは、体積型ＨＯＥ（Holographic Optical Element）１１、１２と、透明の基板１３とを有する。体積型ＨＯＥ１１は、実像表示光が入射される面と反対側の基板１３の面に形成されており、体積型ＨＯＥ１２は、実像表示光が入射される側の基板１３の面に形成されている。基板１３は平行平板として構成されているため、つまり基板１３の両方の面は平行であるため、体積型ＨＯＥ１１と体積型ＨＯＥ１２とは平行に配置されている。【００３３】
なお、体積型ＨＯＥ１１は、本発明における「第１光学素子」の一例に相当し、体積型ＨＯＥ１２は、本発明における「第２光学素子」の一例に相当する。【００３４】
第１実施例では、図２中の矢印Ａ１〜Ａ４に示すように、実像表示光に対して体積型ＨＯＥ１１、１２によって所定の光学的作用を付与することで、実像表示装置２００から入射角θｉｎでコンバイナ１００ａに入射された実像表示光を、出射角θｏｕｔ（θｏｕｔ≠θｉｎ）でコンバイナ１００ａから出射させて運転者の頭部に導く。【００３５】
具体的には、実像表示装置２００から入射角θｉｎでコンバイナ１００ａに入射された光は、まず、矢印Ａ１に示すように体積型ＨＯＥ１２を透過して、矢印Ａ２に示すように体積型ＨＯＥ１１で反射する。この場合、体積型ＨＯＥ１１での反射は、体積型ＨＯＥ１１の特性により、体積型ＨＯＥ１１への入射角θｉｎと体積型ＨＯＥ１１からの反射角θｍｉｄとが異なる回折反射となる。一般的に体積型ＨＯＥは回折反射によって入射角及び反射角を自由に設定できるという特徴があるため、この特徴を利用して、例えば「入射角θｉｎ＜反射角θｍｉｄ」となるように体積型ＨＯＥ１１が構成される。【００３６】
この後、体積型ＨＯＥ１１で回折反射した光は、矢印Ａ３に示すように体積型ＨＯＥ１２で反射する。この場合、体積型ＨＯＥ１２での反射は、体積型ＨＯＥ１２が有する特性により、体積型ＨＯＥ１２への入射角θｍｉｄと体積型ＨＯＥ１２からの出射角θｏｕｔとが異なる回折反射となる。体積型ＨＯＥ１２は、上記したような入射角及び反射角を自由に設定できるという特徴を利用して、例えば「入射角θｍｉｄ＞出射角θｏｕｔ」となるように構成される。この後、体積型ＨＯＥ１２で回折反射した光は、矢印Ａ４に示すように体積型ＨＯＥ１１を透過して、出射角θｏｕｔでコンバイナ１００ａから出射される。【００３７】
なお、入射角θｉｎは、実像表示装置２００とコンバイナ１００ａとの設置位置から決まり、出射角θｏｕｔは、頭部と虚像の表示位置とから決まる。また、角度θｍｉｄ（内部導波角）は、ある程度自由に設定することができる。１つの例では、入射角θｉｎとして３０［°］が用いられ、角度θｍｉｄ（内部導波角）として６０［°］が用いられ、出射角θｏｕｔとして５［°］が用いられる。【００３８】
次に、図３を参照して、上記のような体積型ＨＯＥ１１、１２の光学的作用を実現させるために、体積型ＨＯＥ１１、１２に具備させる特性について説明する。【００３９】
図３（ａ）は、横軸に入射波長［ｎｍ］を示し、縦軸に反射率［％］を示しており、体積型ＨＯＥ１１及び体積型ＨＯＥ１２の波長選択性反射特性を示している。具体的には、体積型ＨＯＥ１１に入射角度θｉｎで入射する光、及び、体積型ＨＯＥ１２に入射角度θｍｉｄで入射する光に対する、反射率の波長依存性を示している。図３（ａ）に示すように、第１実施例では、体積型ＨＯＥ１１、１２は、実像表示光（例えば、３原色ＬＥＤで構成された実像表示装置２００であれば、波長が４５０、５３２、６５０ｎｍ近傍の光）にのみ、光学的作用（具体的には回折反射作用）を与えるように構成されている。これにより、実像表示光以外の光（上記の３波長以外の光）は、体積型ＨＯＥ１１、１２による光学的作用を受けることなく、コンバイナ１００ａをそのまま透過していく。そのため、実像表示光以外の光である背景光は、平行平板としてのコンバイナ１００ａを透過するだけなので、背景が歪むことなく透明性を確保することができる。【００４０】
図３（ｂ）は、横軸に入射角度［°］を示し（この入射角度は、空気との界面反射に換算した角度である）、縦軸に反射率［％］を示しており、体積型ＨＯＥ１１、１２の実像表示光に対する反射率の入射角度依存性を示している。具体的には、太線で表したグラフＧ１１は体積型ＨＯＥ１１の入射角度依存性を示しており、細線で表したグラフＧ１２は体積型ＨＯＥ１２の入射角度依存性を示している。なお、図３（ｂ）は、入射角θｉｎが３０［°］であり、角度θｍｉｄ（内部導波角）が６０［°］であり、出射角θｏｕｔが５［°］である場合について例示している。【００４１】
図３（ｂ）に示すように、第１実施例では、体積型ＨＯＥ１１、ＨＯＥ１２は、図３（ａ）に示した波長選択性と共に入射角度依存性を有するように構成されている。具体的には、グラフＧ１１に示すように、体積型ＨＯＥ１１は、角度θｏｕｔで入射する光を透過し、角度θｉｎで入射する光を反射するように構成されている。また、グラフＧ１２に示すように、体積型ＨＯＥ１２は、角度θｉｎで入射する光を透過し、角度θｍｉｄで入射する光を反射するように構成されている。これにより、図２中の矢印Ａ１〜Ａ４で示したように実像表示光を導くことができる。その結果、実像表示光のみが、コンバイナ１００ａを透過することで光の方向が変化して運転者の頭部に到達することとなる。【００４２】
次に、図４を参照して、第１実施例に係る体積型ＨＯＥ１１、１２の製造方法を説明する。図４（ａ）は、体積型ＨＯＥ１１を作成するための露光方法を示しており、図４（ｂ）は、体積型ＨＯＥ１２を作成するための露光方法を示している。図４（ａ）に示すように、基板１７に貼り付けたホログラム媒体１６に対して、参照光（コンバイナ１００ａへの入射光に相当）を角度θｉｎで照射すると共に、物体光を角度θｍｉｄで照射する２光束干渉により、体積型ＨＯＥ１１が作成される。また、図４（ｂ）に示すように、基板１７に貼り付けたホログラム媒体１６に対して、物体光（コンバイナ１００ａからの出射光に相当）を角度θｏｕｔで照射すると共に、参照光を角度θｍｉｄで照射する２光束干渉により、体積型ＨＯＥ１２が作成される。なお、図４（ａ）及び（ｂ）では、参照光及び物体光として平行光を用いた場合を例示している。【００４３】
ここで、１枚の体積型ＨＯＥではなく、２枚の体積型ＨＯＥ１１、１２を用いてコンバイナ１００ａを構成している理由について説明する。つまり、１枚のＨＯＥのみによって、上記したようなコンバイナ１００ａの光学的機能を実現できない理由について説明する。１枚のＨＯＥで透過型コンバイナを実現するためには、ＨＯＥとしては体積型ＨＯＥではなく、透過光に対して光学的作用を与える透過型ＨＯＥを用いる必要がある。しかしながら透過型ＨＯＥは原理的に図３（ａ）のような波長選択性を有することはできない。従って、１枚の透過型ＨＯＥで透過型コンバイナを作製すると、全ての波長の光に対して光学的作用が付与されてしまうため、背景光についてはそのまま透過させ、実像表示光については入射角θｉｎで入射された光を出射角θｏｕｔで出射させる、といった光学的機能を実現することができない。一方で、体積型ＨＯＥであれば特定波長光に対してのみ光学的作用を与える波長選択性を有することができるが、それは反射光に対してである。つまり体積型ＨＯＥは反射光に対して光学的作用を与える反射型ＨＯＥであり、それを用いて透過型コンバイナを実現するためには１枚ではなく２枚を対向して配置する必要がある。したがって、本実施例では、２枚の体積型ＨＯＥ１１、１２を用いることにより、実像表示光については図２の矢印Ａ１〜Ａ４に示したように回折反射及び透過させることで、入射角θｉｎで入射された光を出射角θｏｕｔで出射させ、背景光についてはそのまま透過させる、といった光学的機能を実現している。なお、上記したような２枚の体積型ＨＯＥ１１、１２を用いる理由は、後述する実施例にも同様に当てはまる。【００４４】
２−２．第１実施例の変形例
次に、第１実施例の変形例について説明する。なお、下記の変形例は、任意に組み合わせて実施することができる。【００４５】
２−２−１．変形例１
図５は、第１実施例の変形例１に係るコンバイナ１００ａ１、１００ａ２の構成を示す図である。図５（ａ）及び（ｂ）に示すように、第１実施例の変形例１に係るコンバイナ１００ａ１、１００ａ２は、体積型ＨＯＥ１１と体積型ＨＯＥ１２とを重ねて基板１３（平行平板）の片面に形成する点で、第１実施例に係るコンバイナ１００ａと異なる。図５（ａ）に示すコンバイナ１００ａ１では、実像表示光が入射される面と反対側の基板１３の面に、重ね合わされた体積型ＨＯＥ１１、１２が形成されている。図５（ｂ）に示すコンバイナ１００ａ２では、実像表示光が入射される側の基板１３の面に、重ね合わされた体積型ＨＯＥ１１、１２が形成されている。【００４６】
２−２−２．変形例２
第１実施例の変形例２は、上記したコンバイナ１００ａに対して、実像表示光に与える光学的作用としてレンズ作用を更に具備させる。例えば、光の集光機能や拡散機能などをコンバイナ１００ａに具備させる。そのようなコンバイナ１００ａは、体積型ＨＯＥ１１の露光における参照光（コンバイナ１００ａへの入射光に相当）や、体積型ＨＯＥ１２の露光における物体光（コンバイナ１００ａからの出射光に相当）に対して、平行光の代わりに収束光や拡散光を適用することで作成することができる。このような第１実施例の変形例２によれば、倍率を有したコンバイナ１００ａを実現することができ、虚像距離を遠くにしたり近くにしたりすることが可能となる。【００４７】
３．第２実施例
次に、第２実施例について説明する。【００４８】
３−１．第２実施例に係るコンバイナの構成
図６は、第２実施例に係るコンバイナ１００ｂの構成を示す図である。図６に示すように、第２実施例に係るコンバイナ１００ｂは、誘電体多層膜２１、２２と、透明の基板２３、２４と、を有する。コンバイナ１００ｂでは、実像表示光が入射される側から順に、基板２３、誘電体多層膜２１、基板２４、誘電体多層膜２２が形成されている。また、コンバイナ１００ｂでは、誘電体多層膜２１と誘電体多層膜２２とが非平行になるように配置されている。具体的には、誘電体多層膜２２はコンバイナ１００ｂにおける水平面に沿って配置されているのに対して、誘電体多層膜２１はコンバイナ１００ｂにおける水平面に対して角度φだけ傾斜して配置されている。つまり、誘電体多層膜２１と誘電体多層膜２２との成す角度は「φ」となっている。【００４９】
第２実施例でも、図６中の矢印Ｂ１〜Ｂ４に示すように、実像表示光に対して誘電体多層膜２１、２２によって所定の光学的作用を付与することで、実像表示装置２００から入射角θｉｎでコンバイナ１００ｂに入射された実像表示光を、出射角θｏｕｔ（θｏｕｔ≠θｉｎ）でコンバイナ１００ｂから出射させて運転者の頭部に導く。【００５０】
具体的には、実像表示装置２００から入射角θｉｎでコンバイナ１００ｂに入射された光は、基板２３で屈折して角度θｉｎ’となり、矢印Ｂ１に示すように誘電体多層膜２１を透過して出射角α’で出射される。この後、誘電体多層膜２１を透過した光は、矢印Ｂ２に示すように誘電体多層膜２２で正反射する。具体的には、誘電体多層膜２１を透過した光は、入射角θｉｎ’で誘電体多層膜２２に入射し、反射角θｉｎ’で誘電体多層膜２２にて反射する。そして、誘電体多層膜２２で正反射した光は、矢印Ｂ３に示すように誘電体多層膜２１で更に正反射する。具体的には、誘電体多層膜２２で反射した光は、入射角β’で誘電体多層膜２１に入射し、反射角β’で誘電体多層膜２１にて反射する。この後、誘電体多層膜２１で反射した光は、矢印Ｂ４に示すように、入射角θｏｕｔ’で誘電体多層膜２２に入射して、誘電体多層膜２２を透過して出射角θｏｕｔでコンバイナ１００ｂから出射される。【００５１】
ここで、入射角θｉｎは、実像表示装置２００とコンバイナ１００ｂとの設置位置から決まり、出射角θｏｕｔは、頭部と虚像の表示位置とから決まる。角度θｉｎ’、θｏｕｔ’は、それぞれ角度θｉｎ、θｏｕｔの基板内部での角度であり、スネルの法則より式（１）、（２）から求められる。【００５２】
θｉｎ’＝ｓｉｎ−１（ｓｉｎθｉｎ／ｎ）      式（１）
θｏｕｔ’＝ｓｉｎ−１（ｓｉｎθｏｕｔ／ｎ）    式（２）
また、上記した角度α’、β’φは、それぞれ、角度θｉｎ’、θｏｕｔ’を用いて、式（３）、（４）、（５）で表される。【００５３】
α’＝（３θｉｎ’−θｏｕｔ’）／２    式（３）
β’＝（θｉｎ’＋θｏｕｔ’）／２      式（４）
φ＝（θｉｎ’−θｏｕｔ’）／２        式（５）
更に、角度α’、β’は、スネルの法則を用いて空気中での角度α、βに変換すると、式（６）、（７）で表される。【００５４】
α＝ｓｉｎ−１（ｎ・ｓｉｎα’）      式（６）
β＝ｓｉｎ−１（ｎ・ｓｉｎβ’）      式（７）
１つの例では、角度θｉｎとして３０［°］を用い、角度θｏｕｔとして１０［°］を用いた場合には、式（１）、（２）から角度θｉｎ’、θｏｕｔ’を得て、角度θｉｎ’、θｏｕｔ’を式（３）に代入することで「α’≒２５．９［°］」が得られ、また、角度θｉｎ’、θｏｕｔ’を式（４）に代入することで「β’≒１３．１［°］」が得られる。そして、当該角度α’を式（６）に代入することで「α≒４０．９［°］」が得られ、当該角度β’を式（７）に代入することで「β≒１９．８［°］」が得られる。更に、角度θｉｎ’、θｏｕｔ’を式（５）に代入することで「φ≒６．４［°］」が得られる。よって、上記の例では、誘電体多層膜２１を誘電体多層膜２２に対して６．４［°］だけ傾斜させて配置すれば良い。【００５５】
次に、図７を参照して、上記のような誘電体多層膜２１、２２の光学的作用を実現させるために、誘電体多層膜２１、２２に具備させる特性について説明する。【００５６】
図７（ａ）は、横軸に入射波長［ｎｍ］を示し、縦軸に反射率［％］を示しており、誘電体多層膜２１及び誘電体多層膜２２の波長選択性反射特性を示している。具体的には、誘電体多層膜２１に入射角度β（基板内部ではβ’）で入射する光、及び、誘電体多層膜２２に入射角度θｉｎ（基板内部ではθｉｎ’）で入射する光に対する、反射率の波長依存性を示している。図７（ａ）に示すように、第２実施例では、誘電体多層膜２１、２２は、実像表示光（例えば、３原色ＬＥＤで構成された実像表示装置２００であれば、波長が４５０、５３２、６５０ｎｍ近傍の光）にのみ、光学的作用（具体的には正反射作用）を与えるように構成されている。これにより、実像表示光以外の光（上記の３波長以外の光）は、誘電体多層膜２１、２２による光学的作用を受けることなく、コンバイナ１００ｂをそのまま透過していく。そのため、実像表示光以外の光である背景光は、平行平板としてのコンバイナ１００ｂを透過するだけなので、背景が歪むことなく透明性を確保することができる。【００５７】
図７（ｂ）は、横軸に入射角度［°］を示し（この入射角度は、空気との界面反射に換算した角度である）、縦軸に反射率［％］を示しており、誘電体多層膜２１、２２の実像表示光に対する反射率の入射角度依存性を示している。具体的には、細線で表したグラフＧ２１は誘電体多層膜２１の入射角度依存性を示しており、太線で表したグラフＧ２２は誘電体多層膜２２の入射角度依存性を示している。なお、図７（ｂ）は、入射角θｉｎが３０［°］であり、出射角θｏｕｔが１０［°］であり、角度αが４０．９［°］であり、角度βが１９．８［°］である場合について例示している。【００５８】
グラフＧ２１に示すように、誘電体多層膜２１は、角度αで入射する光を透過し、角度βで入射する光を反射するように構成されている。また、グラフＧ２２に示すように、誘電体多層膜２２は、角度θｏｕｔで入射する光を透過し、角度θｉｎで入射する光を反射するように構成されている。これにより、図６中の矢印Ｂ１〜Ｂ４で示したように実像表示光を導くことができる。その結果、実像表示光のみが、コンバイナ１００ｂを透過することで光の方向が変化して運転者の頭部に到達することとなる。【００５９】
なお、誘電体多層膜２１は、角度αで入射する光を透過し、角度βで入射する光を反射するといった特性を具備していれば、それ以外の角度ではどのような特性を具備していても良い。例えば、破線で表されたグラフＧ２１’で示すような特性を具備していても良い。また、誘電体多層膜２２は、角度θｏｕｔで入射する光を透過し、角度θｉｎで入射する光を反射するといった特性を具備していれば、それ以外の角度ではどのような特性を具備していても良い。例えば、破線で表されたグラフＧ２２’で示すような特性を具備していても良い。【００６０】
なお、第１実施例で示した体積型ＨＯＥ１１、１２は光を回折反射させることができるため（つまり入射角及び反射角を自由に設定できるため）、入射角θｉｎで入射された光を当該入射角θｉｎとは異なる出射角θｏｕｔで出射させるといった光学的機能を実現するに当たって、体積型ＨＯＥ１１、１２のいずれかを敢えて傾斜させる必要はない。そのため、体積型ＨＯＥ１１と体積型ＨＯＥ１２とを平行に配置していた。これに対して、第２実施例に係る誘電体多層膜２１、２２は光を正反射させるため（つまり入射角と反射角とが等しくなるため、言い換えると入射角及び反射角を自由に設定できないため）、そのような誘電体多層膜２１、２２によって、入射角θｉｎで入射された光を当該入射角θｉｎとは異なる出射角θｏｕｔで出射させるといった光学的機能を実現すべく、誘電体多層膜２１を誘電体多層膜２２に対して傾斜させている。【００６１】
３−２．第２実施例の変形例
次に、第２実施例の変形例について説明する。なお、下記の変形例は、任意に組み合わせて実施することができる。【００６２】
３−２−１．変形例１
図８は、第２実施例の変形例１に係るコンバイナ１００ｂ１の構成を示す図である。図８に示すように、第２実施例の変形例１に係るコンバイナ１００ｂ１は、誘電体多層膜２１の代わりに、鋸歯形状を有する誘電体多層膜２１ａを用いる点で、第２実施例に係るコンバイナ１００ｂと異なる。誘電体多層膜２１ａを鋸歯形状に構成することで、当該誘電体多層膜２１ａは複数の傾斜面２１ａ１を有することとなるため、上記した誘電体多層膜２１と同様の機能を実現することが可能となる。例えば、誘電体多層膜２１ａが有する傾斜面２１ａ１の傾きを、誘電体多層膜２１と同様の傾きに設定すれば良い。つまり、誘電体多層膜２２に対して角度φだけ傾いた傾斜面２１ａ１を適用すれば良い。【００６３】
このような第２実施例の変形例１によれば、全体が傾いた誘電体多層膜２１の代わりに、それ自体は傾いていない誘電体多層膜２１ａを用いることで、コンバイナ１００ｂ１の厚みを上記したコンバイナ１００ｂの厚みよりも薄くすることができる。【００６４】
３−２−２．変形例２
第２実施例の変形例２は、上記したコンバイナ１００ｂに対して、実像表示光に与える光学的作用としてレンズ作用を更に具備させる。例えば、光の集光機能や拡散機能などをコンバイナ１００ｂに具備させる。そのようなコンバイナ１００ｂは、誘電体多層膜２１（基板内部に存在する反射面）を緩やかな曲面にて構成することで実現することができる。このような第２実施例の変形例２によれば、倍率を有したコンバイナ１００ｂを実現することができ、虚像距離を遠くにしたり近くにしたりすることが可能となる。【００６５】
なお、上記のように緩やかな曲面にて構成した誘電体多層膜２１に対して、変形例１を更に適用しても良い。つまり、誘電体多層膜２１を、曲面にて構成すると共に、鋸歯形状に構成しても良い。その場合、誘電体多層膜２１は、フレネルレンズ形状になる。【００６６】
３−２−３．変形例３
図９は、第２実施例の変形例３に係るコンバイナ１００ｂ２の構成を示す図である。図９に示すように、第２実施例の変形例３に係るコンバイナ１００ｂ２は、上記した誘電体多層膜２１に対応する誘電体多層膜２１ｂをコンバイナ１００ｂ２の表面に形成し、上記した誘電体多層膜２２に対応する誘電体多層膜２２ｂをコンバイナ１００ｂ２の内部に形成している点で、第２実施例に係るコンバイナ１００ｂと異なる。具体的には、このコンバイナ１００ｂ２では、誘電体多層膜２１ｂはコンバイナ１００ｂ２における水平面に沿って配置されているのに対して、誘電体多層膜２２ｂはコンバイナ１００ｂ２における水平面に対して角度φだけ傾斜して配置されている。【００６７】
なお、変形例３と、変形例１及び／又は変形例２とを組み合わせて実施しても良い。つまり、誘電体多層膜２２ｂを、曲面にて構成したり、鋸歯形状に構成したりしても良い。誘電体多層膜２２ｂを曲面にて構成すると共に鋸歯形状に構成した場合には、当該誘電体多層膜２２ｂはフレネルレンズ形状になる。【００６８】
また、更に他の例では、誘電体多層膜２１及び誘電体多層膜２２の両方を、コンバイナ１００ｂの内部に形成しても良い。その場合、誘電体多層膜２１及び誘電体多層膜２２の一方のみをコンバイナ１００ｂの水平面に対して傾斜させることに限定はされず、誘電体多層膜２１及び誘電体多層膜２２の両方をコンバイナ１００ｂの水平面に対して傾斜させても良い。また、そのような誘電体多層膜２１及び誘電体多層膜２２の一方又は両方に、変形例１及び／又は変形例２を適用しても良い。【００６９】
３−２−４．変形例４
第２実施例の変形例４では、上記した誘電体多層膜２１、２２の代わりに、２枚の体積型ＨＯＥを用いる。その場合、図７（ａ）及び（ｂ）に示したような特性を体積型ＨＯＥに具備させれば良い。また、光学的作用として正反射作用を実像表示光に対して付与するように、体積型ＨＯＥを構成すれば良い。【００７０】
なお、変形例４と、変形例１乃至３のうちの少なくとも１以上とを適宜組み合わせて実施しても良い。その場合において、体積型ＨＯＥにレンズ作用を具備させる場合には、体積型ＨＯＥを曲面にて構成せずに、第１実施例の変形例２で述べた手法により作成された体積型ＨＯＥを用いると良い。【００７１】
３−２−５．変形例５
上記した第２実施例では、波長選択透過膜又は波長選択性反射膜として誘電体多層膜を用いる例を示したが、誘電体多層膜以外にも種々の波長選択透過膜又は波長選択性反射膜を用いることができる。【００７２】
４．第３実施例
次に、第３実施例について説明する。【００７３】
４−１．第３実施例に係るコンバイナの構成
図１０は、第３実施例に係るコンバイナ１００ｃの構成を示す図である。図１０に示すように、第３実施例に係るコンバイナ１００ｃは、誘電体多層膜３１、３２と、透明の基板３３、３４と、保持部３５、３６と、を有する。誘電体多層膜３１は、実像表示光が入射される面と反対側の基板３３の面に形成されており、誘電体多層膜３２は、実像表示光が入射される側の基板３４の面に形成されている。基板３３、３４は、平行平板として構成されている。【００７４】
誘電体多層膜３１及び基板３３は保持部３５によって保持されており、誘電体多層膜３２及び基板３４は保持部３６によって保持されている。保持部３５と保持部３６とは、共通の軸を用いて回転可能に取り付けられている。これにより、保持部３５によって保持された誘電体多層膜３１及び基板３３は矢印Ａｒ１で示す方向に回動し、保持部３６によって保持された誘電体多層膜３２及び基板３４は矢印Ａｒ２で示す方向に回動する。そのため、誘電体多層膜３１と誘電体多層膜３２との成す角度φを適宜変えることが可能となる。【００７５】
なお、誘電体多層膜３１及び誘電体多層膜３２の両方が回動するようにコンバイナ１００ｃを構成することに限定はされず、誘電体多層膜３１及び誘電体多層膜３２の一方を固定し、誘電体多層膜３１及び誘電体多層膜３２の他方のみが回動するようにコンバイナ１００ｃを構成しても良い。【００７６】
図１１は、図１０中の破線領域Ｒ１を拡大して表した、第３実施例に係るコンバイナ１００ｃの図を示している。第３実施例でも、図１１中の矢印Ｃ１〜Ｃ４に示すように、実像表示光に対して誘電体多層膜３１、３２によって所定の光学的作用を付与することで、実像表示装置２００から入射角「θｉｎ＋φ」でコンバイナ１００ｃに入射された実像表示光を、出射角θｏｕｔでコンバイナ１００ｃから出射させて運転者の頭部に導く。【００７７】
具体的には、実像表示装置２００から入射角「θｉｎ＋φ」でコンバイナ１００ｃに入射された光は、矢印Ｃ１に示すように誘電体多層膜３１を透過して、矢印Ｃ２に示すように誘電体多層膜３２で正反射する。この場合、誘電体多層膜３１を透過した光は、入射角θｉｎで誘電体多層膜３２に入射し、反射角θｉｎで誘電体多層膜３２にて反射する。そして、誘電体多層膜３２で正反射した光は、矢印Ｃ３に示すように誘電体多層膜３１で更に正反射する。この場合、誘電体多層膜３２で反射した光は、入射角「θｉｎ−φ」で誘電体多層膜３１に入射し、反射角「θｉｎ−φ」で誘電体多層膜３１にて反射する。そして、誘電体多層膜３１で反射した光は、矢印Ｃ４に示すように誘電体多層膜３２を透過して、出射角θｏｕｔ（θｏｕｔ＝θｉｎ−２φ）でコンバイナ１００ｃから出射される。【００７８】
１つの例では、角度φとして「１０±５［°］」が用いられ、入射角「θｉｎ＋φ」として「４０±５［°］」が用いられ（この場合、θｉｎ＝３０［°］）、出射角θｏｕｔとして「１０±１０［°］」が用いられる。【００７９】
次に、図１２を参照して、上記のような誘電体多層膜３１、３２の光学的作用を実現させるために、誘電体多層膜３１、３２に具備させる特性について説明する。【００８０】
図１２（ａ）は、横軸に入射波長［ｎｍ］を示し、縦軸に反射率［％］を示しており、誘電体多層膜３１及び誘電体多層膜３２の波長選択性反射特性を示している。具体的には、誘電体多層膜３１に入射角度「θｉｎ−φ」で入射する光、及び、誘電体多層膜３２に入射角度θｉｎで入射する光に対する、反射率の波長依存性を示している。図１２（ａ）に示すように、第３実施例では、誘電体多層膜３１、３２は、実像表示光（例えば、３原色ＬＥＤで構成された実像表示装置２００であれば、波長が４５０、５３２、６５０ｎｍ近傍の光）にのみ、光学的作用（具体的には正反射作用）を与えるように構成されている。これにより、実像表示光以外の光（上記の３波長以外の光）は、誘電体多層膜３１、３２による光学的作用を受けることなく、コンバイナ１００ｃをそのまま透過していく。そのため、実像表示光以外の光である背景光は、平行平板としてのコンバイナ１００ｃを透過するだけなので、背景が歪むことなく透明性を確保することができる。【００８１】
図１２（ｂ）は、横軸に入射角度［°］を示し（この入射角度は、空気との界面反射に換算した角度である）、縦軸に反射率［％］を示しており、誘電体多層膜３１、３２の実像表示光に対する反射率の入射角度依存性を示している。具体的には、細線で表したグラフＧ３１は誘電体多層膜３１の入射角度依存性を示しており、太線で表したグラフＧ３２は誘電体多層膜３２の入射角度依存性を示している。なお、図１２（ｂ）は、角度φが「１０±５［°］」であり、角度θｉｎが３０［°］であり、角度「θｉｎ＋φ」が「４０±５［°］」であり、角度「θｉｎ−φ」が「２０±５［°］」であり、角度θｏｕｔが「１０±１０［°］」である場合について例示している。【００８２】
グラフＧ３１に示すように、誘電体多層膜３１は、角度「θｉｎ＋φ」で入射する光を透過し、角度「θｉｎ−φ」で入射する光を反射するように構成されている。また、グラフＧ３２に示すように、誘電体多層膜３２は、角度θｏｕｔで入射する光を透過し、角度θｉｎで入射する光を反射するように構成されている。これにより、図１１中の矢印Ｃ１〜Ｃ４で示したように実像表示光を導くことができる。その結果、実像表示光のみが、コンバイナ１００ｃを透過することで光の方向が変化して運転者の頭部に到達することとなる。【００８３】
なお、図１２（ｂ）に示したような電体多層膜３１、３２の特性は、誘電体多層膜３１と誘電体多層膜３２との成す角度φが取り得る範囲を見越して設定すると良い。【００８４】
また、誘電体多層膜３１は、角度「θｉｎ＋φ」で入射する光を透過し、角度「θｉｎ−φ」で入射する光を反射するといった特性を具備していれば、それ以外の角度ではどのような特性を具備していても良い。例えば、破線で表されたグラフＧ３１’で示すような特性を具備していても良い。また、誘電体多層膜３２は、角度θｏｕｔで入射する光を透過し、角度θｉｎで入射する光を反射するといった特性を具備していれば、それ以外の角度ではどのような特性を具備していても良い。例えば、破線で表されたグラフＧ３２’で示すような特性を具備していても良い。【００８５】
ここで、上記した第１及び第２実施例に係る構成では、コンバイナ１００ａ、１００ｂ自体の設置角度（チルト角）を変えても、角度θｉｎと角度θｏｕｔとの成す角度を変えることができない。そのため、運転者の座高の高さなどが変化すると、実像表示装置２００からの光が運転者の頭部に適切に到達しない場合がある。これに対して、第３実施例に係るコンバイナ１００ｃでは、誘電体多層膜３１と誘電体多層膜３２との成す角度φを変えられるように構成されているため、コンバイナ１００ｃからの出射角θｏｕｔが「θｏｕｔ＝θｉｎ−２φ」となるので、そのような角度φを変えることで運転者の座高の高さの違いを吸収することができる。つまり、第３実施例によれば、運転者の座高の高さなどが変化しても、実像表示装置２００からの光を運転者の頭部に適切に到達させることができる。また、第３実施例によれば、誘電体多層膜３１と基板３３とから成る部材（平行平板）及び誘電体多層膜３２と基板３４とから成る部材（平行平板）を薄く構成することができるので、第２実施例と比較して、コンバイナ１００ｃ自体の重量を減らすことが可能となる。【００８６】
４−２．第３実施例の変形例
次に、第３実施例の変形例について説明する。なお、下記の変形例は、任意に組み合わせて実施することができる。【００８７】
４−２−１．変形例１
図１３は、第３実施例の変形例１に係るコンバイナ１００ｃ１〜１００ｃ３の構成を示す図である。図１３（ａ）〜（ｃ）に示すように、第３実施例の変形例１に係るコンバイナ１００ｃ１〜１００ｃ３は、基板３３、３４において誘電体多層膜３１、３２のそれぞれが形成されている位置が、第３実施例に係るコンバイナ１００ｃと異なる。【００８８】
図１３（ａ）に示すコンバイナ１００ｃ１では、実像表示光が入射される側の基板３３の面に誘電体多層膜３１が形成されており、実像表示光が入射される面と反対側の基板３４の面に誘電体多層膜３２が形成されている。図１３（ｂ）に示すコンバイナ１００ｃ２では、実像表示光が入射される面と反対側の基板３３の面に誘電体多層膜３１が形成されており、実像表示光が入射される面と反対側の基板３４の面に誘電体多層膜３２が形成されている。図１３（ｃ）に示すコンバイナ１００ｃ３では、実像表示光が入射される側の基板３３の面に誘電体多層膜３１が形成されており、実像表示光が入射される側の基板３４の面に誘電体多層膜３２が形成されている。【００８９】
４−２−２．変形例２
図１４は、第３実施例の変形例２に係るコンバイナ１００ｃ４の構成を示す図である。図１４に示すように、第３実施例の変形例２に係るコンバイナ１００ｃ４は、平行平板で構成された誘電体多層膜３１の代わりに、緩やかな曲率を有する形状（メニスカスレンズ形状）にて構成された誘電体多層膜３１ａを用いる点で、第３実施例に係るコンバイナ１００ｃと異なる。そのような誘電体多層膜３１ａを用いる場合、誘電体多層膜３１ａが貼り付けられる基板３３ａも、緩やかな曲率を有する形状となる。【００９０】
このようなコンバイナ１００ｃ４によれば、上記したコンバイナ１００ｃが有する光学的作用に加えて、レンズ作用を実像表示光に対して更に与えることができる。したがって、第３実施例の変形例２によれば、倍率を有したコンバイナ１００ｃ４を実現することができ、虚像距離を遠くにしたり近くにしたりすることが可能となる。【００９１】
なお、誘電体多層膜３１の代わりに誘電体多層膜３２を、緩やかな曲率を有する形状に構成しても良いし、誘電体多層膜３１及び誘電体多層膜３２の両方を、緩やかな曲率を有する形状に構成しても良い。【００９２】
また、変形例２と変形例１とを組み合わせて実施しても良い。【００９３】
４−２−３．変形例３
第３実施例の変形例３では、上記した誘電体多層膜３１、３２の代わりに、２枚の体積型ＨＯＥを用いる。その場合、図１２（ａ）及び（ｂ）に示したような特性を体積型ＨＯＥに具備させれば良い。また、光学的作用として正反射作用を実像表示光に対して付与するように、体積型ＨＯＥを構成すれば良い。【００９４】
なお、変形例３と、変形例１及び／又は変形例２とを適宜組み合わせて実施しても良い。その場合において、体積型ＨＯＥにレンズ作用を具備させる場合には、体積型ＨＯＥを曲面にて構成せずに、第１実施例の変形例２で述べた手法により作成された体積型ＨＯＥを用いると良い。【００９５】
４−２−４．変形例４
上記した第３実施例では、波長選択透過膜又は波長選択性反射膜として誘電体多層膜を用いる例を示したが、誘電体多層膜以外にも種々の波長選択透過膜又は波長選択性反射膜を用いることができる。【００９６】
５.他の変形例
上記の実施例では、第１光学素子及び第２光学素子として体積型ＨＯＥを使用する例、並びに、第１光学素子及び第２光学素子として誘電体多層膜を使用する例を挙げている。その代わりに、第１光学素子と第２光学素子のうちの一方として体積型ＨＯＥを使用し、他方として誘電体多層膜を使用することとしてもよい。さらには、第１光学素子と第２光学素子のうちの一方として体積型ＨＯＥ又は誘電体多層膜を使用し、他方としてこれら以外の光学素子を使用することとしてもよい。【００９７】
６．適用例
上記した実施例では、コンバイナ１００を車両の天井付近に設けているが、その代わりに、図１５に示すように、コンバイナ１００を眼鏡型（サングラス型）としてもよい。【００９８】
上記した実施例では、本発明をＨＵＤに適用する例を示したが、本発明の適用はこれに限定はされない。本発明は、虚像として画像を視認させる種々の表示装置に適用することができる。例えば、本発明は、ヘッドマウントディスプレイなどに適用することができる。
【符号の説明】
【００９９】
１１、１２  体積型ＨＯＥ
１３、２３、２４、３３、３４  基板
２１、２２、３１、３２  誘電体多層膜
３５、３６  保持部
１００、１００ａ、１００ｂ、１００ｃ  コンバイナ
２００  実像表示装置
３００  ＨＵＤ
【図１】
0005996093.tif 000002
【図２】
0005996093.tif 000003
【図３】
0005996093.tif 000004
【図４】
0005996093.tif 000005
【図５】
0005996093.tif 000006
【図６】
0005996093.tif 000007
【図７】
0005996093.tif 000008
【図８】
0005996093.tif 000009
【図９】
0005996093.tif 000010
【図１０】
0005996093.tif 000011
【図１１】
0005996093.tif 000012
【図１２】
0005996093.tif 000013
【図１３】
0005996093.tif 000014
【図１４】
0005996093.tif 000015
【図１５】
0005996093.tif 000016
【図１６】
0005996093.tif 000017